(57)【特許請求の範囲】
【請求項１】
互いに対向する前後胴周り域およびそれら胴周り域の間に位置する股下域を画成するシート部材と、前記股下域から前記前後胴周り域へ向かって延びる吸液性部材とから構成され、前記シート部材が、前記吸液性部材の両端縁の外側に位置して前記前後胴周り域を胴周り方向へ延びる胴周り端部と、前記吸液性部材の両側縁の外側に位置して前記前後胴周り域を縦方向へ延びる胴周り側部とを有し、前記胴周り側部の側縁近傍が固着されて胴周り開口と一対の脚周り開口とが形成されたパンツ型の使い捨ておむつにおいて、
前記前胴周り域及び前記股下域における第１伸縮性弾性部材が、前記吸液性部材の胴周り方向の寸法を二分する縦中心線と前記吸液性部材の両側縁との間において前記縦方向に延びていて、前記シート部材と前記吸液性部材との少なくとも該吸液性部材に伸長状態で取り付けられ、前記第１伸縮性弾性部材の間に位置する前記吸液性部材の領域が、前記第１伸縮性弾性部材の収縮によって肌非当接側へ向かって凸型に変形しており、前記胴周り方向へ延びる少なくとも１条の第２伸縮性弾性部材が、前記吸液性部材の少なくとも前記領域において、前記シート部材と前記吸液性部材とのうちの少なくとも該吸液性部材に伸長状態で取り付けられていることを特徴とする前記おむつ。
【請求項２】
前記第１弾性部材が、前記吸液性部材の両側縁に向かって凸となるように実質的に弧を画いて延びている請求項１記載のおむつ。
【請求項３】
前記第１弾性部材が、前記股下域から前記前胴周り域へ向かって延びている請求項１または請求項２に記載のおむつ。
【請求項４】
前記吸液性部材が、肌当接側に位置する透液性表面シートと、肌非当接側に位置する不透液性裏面シートと、前記表裏面シートの間に介在する吸液性コアとから形成され、前記第１および第２弾性部材が、前記裏面シートに取り付けられている請求項１ないし請求項３いずれかに記載のおむつ。
【発明の詳細な説明】
【０００１】
【発明の属する技術分野】
本発明は、排泄物を吸収、保持するパンツ型の使い捨ておむつに関する。
【０００２】
【従来の技術】
肌当接側に位置する透液性表面シートと、肌非当接側に位置する不透液性裏面シートと、表裏面シートの間に介在する吸液性コアとから構成され、表裏面シートの前後胴周り域を縦方向へ延びる胴周り側縁近傍が縦方向へ間欠的に並ぶ多数の熱融着部を介して固着され、胴周り開口とその下方に一対の脚周り開口とが形成されたパンツ型の使い捨ておむつは公知である。そのようなおむつとしては、特開平１０−７１１７３号公報や特開平１０−７５９８０号公報に開示されている。
【０００３】
前記公報に開示のおむつでは、胴周り方向へ延びる複数条の胴周り用弾性部材が前後胴周り域の胴周り端部に伸長状態で取り付けられ、脚周り方向へ延びる複数条の脚周り用弾性部材が脚周り開口縁部に伸長状態で取り付けられている。それらおむつの着用時では、胴周り用弾性部材が着用者の胴周りを締め付け、脚周り用弾性部材が着用者の脚周りを締め付けるので、おむつのずれ下がりを防ぐことができるとともに、胴周り端部と脚周り開口縁部とからの排泄物の漏れを防ぐことができる。
【０００４】
【発明が解決しようとする課題】
前記公報に開示のおむつでは、着用者のペニスがおむつの内部で自由に動くことができ、ペニスをおむつの前胴周り域と股下域とにおける胴周り方向中央部に静止させておくことが難しい。それらおむつでは、ペニスが脚周り開口縁部に移動し、そこで尿が排泄されると、尿が脚周り開口縁部から漏れてしまう場合がある。
【０００５】
本発明の課題は、着用者のペニスを前胴周り域と股下域とにおける胴周り方向中央部に静止させておくことができるパンツ型の使い捨ておむつを提供することにある。
【０００６】
【課題を解決するための手段】
前記課題を解決するための本発明の前提は、互いに対向する前後胴周り域およびそれら胴周り域の間に位置する股下域を画成するシート部材と、前記股下域から前記前後胴周り域へ向かって延びる吸液性部材とから構成され、前記シート部材が、前記吸液性部材の両端縁の外側に位置して前記前後胴周り域を胴周り方向へ延びる胴周り端部と、前記吸液性部材の両側縁の外側に位置して前記前後胴周り域を縦方向へ延びる胴周り側部とを有し、前記胴周り側部の側縁近傍が固着されて胴周り開口と一対の脚周り開口とが形成されたパンツ型の使い捨ておむつである。
【０００７】
前記前提における本発明の特徴は、前記前胴周り域及び前記股下域における第１伸縮性弾性部材が、前記吸液性部材の胴周り方向の寸法を二分する縦中心線と前記吸液性部材の両側縁との間において前記縦方向に延びていて、前記シート部材と前記吸液性部材との少なくとも該吸液性部材に伸長状態で取り付けられ、前記第１伸縮性弾性部材の間に位置する前記吸液性部材の領域が、前記第１伸縮性弾性部材の収縮によって肌非当接側へ向かって凸型に変形しており、前記胴周り方向へ延びる少なくとも１条の第２伸縮性弾性部材が、前記吸液性部材の少なくとも前記領域において、前記シート部材と前記吸液性部材とのうちの少なくとも該吸液性部材に伸長状態で取り付けられていることにある。
【０００８】
本発明の実施の態様の一例としては、前記第１弾性部材が、前記吸液性部材の両側縁に向かって凸となるように実質的に弧を画いて延びている。
【０００９】
本発明の実施の態様の他の一例としては、前記第１弾性部材が、前記股下域から前記前胴周り域へ向かって延びている。
【００１０】
【００１１】
本発明の実施の態様の他の一例としては、前記吸液性部材が、肌当接側に位置する透液性表面シートと、肌非当接側に位置する不透液性裏面シートと、前記表裏面シートの間に介在する吸液性コアとから形成され、前記第１および第２弾性部材が、前記裏面シートに取り付けられている。
【００１２】
【発明の実施の形態】
添付の図面を参照し、本発明に係るパンツ型の使い捨ておむつの詳細を説明すると、以下のとおりである。
【００１３】
図１，２は、使い捨ておむつ１の斜視図と、パンツ型に成形する以前の状態で示す図１のおむつ１の斜視図とであり、図３，４は、図１のＩ−Ｉ線端面図と、図１のＩＩ−ＩＩ線矢視断面図とである。図１では、胴周り方向を矢印Ｘ、縦方向を矢印Ｙで示し、脚周り方向を矢印Ｚで示す。図４では、着用者Ｍを仮想線で示す。なお、表面シート２と裏面シート３との内面とは、コア４に対向する面をいい、それらシート２，３の外面とは、コア４に非対向の面をいう。
【００１４】
おむつ１は、肌当接側に位置する透液性表面シート２（シート部材）と、肌非当接側に位置する不透液性裏面シート３（シート部材）と、それらシート２，３の間に介在する吸液性コア４（吸液性部材）とを主要な構成部材とする。おむつ１は、互いに対向する前胴周り域５および後胴周り域７と、それら胴周り域５，７の間に位置する股下域７とを有する。おむつ１は、胴周り開口８とその下方に一対の脚周り開口９とを有する。
【００１５】
表面シート２と裏面シート３とは、コア４の両端縁４ａの外側に位置して前後胴周り域５，７を胴周り方向へ延びる胴周り端部１０と、コア４の両側縁４ｂの外側に位置して前後胴周り域５，７を縦方向へ延びる胴周り側部１１と、コア４の両側縁４ｂの外側に位置して股下域６を脚周り方向へ延びる脚周り開口縁部１２とを有する。表面シート２と裏面シート３とは、胴周り端部１０と胴周り側部１１と脚周り開口縁部１２とにおいてそれらシート２，３の内面どうしが固着されている。
【００１６】
おむつ１では、表面シート２と裏面シート３との胴周り側部１１の側縁１３近傍が合掌状に重なり合い、側縁１３近傍が縦方向へ間欠的に並ぶ多数の熱融着部１４を介して固着されている。
【００１７】
コア４は、股下域６から前後胴周り域５，７へ向かって延びている。コア４は、その表面が透液性シート１５に被覆され、透液性シート１５を介して表面シート２と裏面シート３との内面に固着されている。
【００１８】
胴周り端部１０には、胴周り方向へ延びる複数条の胴周り用弾性部材１６が伸長状態で取り付けられている。脚周り開口縁部１２には、脚周り方向へ延びる脚周り用弾性部材１７が伸長状態で取り付けられている。胴周り用弾性部材１６と脚周り用弾性部材１７とは、表面シート２と裏面シート３との間に介在し、それらシート２，３の内面に固着されている。前胴周り域５と股下域６とには、互いに並行して縦方向へ延びる第１伸縮性弾性部材１８が伸長状態で取り付けられている。
【００１９】
第１弾性部材１８は、図２に示すように、コア４の胴周り方向の寸法を二分する縦中心線Ｌ１とコア４の両側縁４ｂとの間に配置されている。第１弾性部材１８は、コア４の両側縁４ｂへ向かって凸となるように実質的に弧を画いて延びている。第１弾性部材１８は、裏面シート３とコア４との間に介在し、裏面シート３とコア４を被覆する透液性シート１５とに固着されている。
【００２０】
おむつ１では、第１弾性部材１８の縦方向の収縮によって、コア４の第１弾性部材１８の間に延びる領域１９が肌非当接側へ向かって凸型に変形している。おむつ１の前胴周り域５と股下域６とでは、コア４の領域１９が着用者ＭのペニスＰを収容することが可能なペニス収容部２０を画成している。
【００２１】
図２の状態からパンツ型に成形するには、表面シート２の外面が互いに対向するように、おむつ１を横中心線Ｌ２で折曲し、表裏面シート２，３の胴周り側部１１の側縁１３近傍を固着して前後胴周り域５，７を連結する。
【００２２】
おむつ１では、図４に示すように、それを着用したときに、着用者ＭのペニスＰが収容部２０に収容されるので、ペニスＰがおむつ１の内部において自由に動いてしまうことはなく、ペニスＰが脚周り開口縁部１２へ移動することを防止することができる。おむつ１では、前胴周り域５と股下域６とにおける胴周り方向中央部にペニスＰを静止させておくことができ、尿がそれら域５，６の胴周り方向中央部に排泄されるので、尿をコア４の全域に拡散かつ吸収させることができる。おむつ１では、尿が脚周り開口縁部１２に集中して排泄されることはなく、尿が脚周り開口縁部１２から漏れてしまうことを防ぐことができる。
【００２３】
第１弾性部材１８は、裏面シート３とコア４とのうちの少なくともコア４に固着されていればよい。第１弾性部材１８は、コア４の両側縁４ｂへ向かって弧を画くことなく、縦方向へ略直状に延びていてもよい。また、第１弾性部材１８は、前胴周り域５から股下域６を通って後胴周り域７まで延びていてもよい。
【００２４】
図５，６は、他の実施の形態を示す使い捨ておむつ２１の斜視図と、パンツ型に成形する以前の状態で示す図５のおむつ２１の斜視図とであり、図７，８は、図５のＩＩＩ−ＩＩＩ線端面図と、図５のＩＶ−ＩＶ線矢視断面図とである。図５では、胴周り方向を矢印Ｘ、縦方向を矢印Ｙで示し、脚周り方向を矢印Ｚで示す。図８では、着用者Ｍを仮想線で示す。
【００２５】
おむつ２１は、胴周り開口２４とその下方に一対の脚周り開口２５とを有するパンツ２２と、パンツ２２の内側に取り付けられた吸液性インナーパッド２３（吸液性部材）とから構成されている。
【００２６】
パンツ２２は、互いに重なり合う実質的に不透液性のシート２６ａ，２６ｂ（シート部材）から形成されている。パンツ２２は、互いに対向する前胴周り域２７および後胴周り域２９と、それら胴周り域２７，２９の間に位置する股下域２８とを有する。パンツ２２では、それを形成するシート２６ａ，２６ｂの内面どうしが固着されている。
【００２７】
シート２６ａ，２６ｂは、パッド２３の両端縁２３ａの外側に位置して前後胴周り域２７，２９を胴周り方向へ延びる胴周り端部３０と、パッド２３の両側縁２３ｂの外側に位置して前後胴周り域２７，２９を縦方向へ延びる胴周り側部３１と、パッド２３の両側縁２３ｂの外側に位置して股下域２８を脚周り方向へ延びる脚周り開口縁部３２とを有する。パンツ２２では、シート２６ａ，２６ｂの胴周り側部３１の側縁３３近傍が合掌状に重なり合い、側縁３３近傍が縦方向へ間欠的に並ぶ多数の熱融着部３４を介して固着されている。
【００２８】
胴周り端部３０には、胴周り方向へ延びる複数条の胴周り用弾性部材３５が伸長状態で取り付けられている。脚周り開口縁部３２には、脚周り方向へ延びる複数条の脚周り用弾性部材３６が伸長状態で取り付けられている。胴周り用弾性部材３５と脚周り用弾性部材３６とは、シート２６ａ，２６ｂの間に介在し、それらシート２６ａ，２６ｂの内面に固着されている。
【００２９】
パッド２３は、肌当接側に位置する透液性表面シート３７と、肌非当接側に位置する不透液性裏面シート３８と、表裏面シート３７，３８の間に介在する吸液性コア３９とから形成されている。コア３９は、表面シート３７と裏面シート３８との内面に固着されている。コア３９は、図１のそれと同様に、その表面が透液性シートに被覆されていることが好ましい。
【００３０】
パッド２３は、その平面形状が略矩形を呈し、パンツ２２の股下域２８から前後胴周り域２７，２９へ向かって延びている。パッド２３では、コア３９の周縁から周方向外方へ延びる表裏面シート３７，３８の周縁部が互いに重なり合った状態で固着されている。パッド２３は、その両端縁２３ａ近傍が裏面シート３８を介して前後胴周り域２７，２９に延びるシート２６ａに固着されている。
【００３１】
パッド２３には、互いに並行して縦方向へ延びる第１伸縮性弾性部材４０が伸長状態で取り付けられ、第１伸縮性弾性部材４０の間を互いに並行して胴周り方向へ延びる複数条の第２伸縮性弾性部材４１が伸長状態で取り付けられている。パッド２３の両側縁２３ｂ近傍には、縦方向へ延びる実質的に不透液性の側部シート４２が取り付けられている。
【００３２】
第１弾性部材４０は、図６に示すように、パッド２３の胴周り方向の寸法を二分する縦中心線Ｌ１とパッド２３の両側縁２３ｂとの間に配置され、パンツ２２の股下域２８から前胴周り域２７へ向かって延びている。第１弾性部材４０は、パッド２３の両側縁２３ｂへ向かって凸となるように実質的に弧を画いて延びている。第２弾性部材４１は、パッド２３の第１弾性部材４０の間に延びる領域４３に配置され、パンツ２２の前胴周り域２７と股下域２８との間を縦方向へ所与寸法離間して並んでいる。第１弾性部材４０と第２弾性部材４１とは、裏面シート３８の外面に固着され、パンツ２２を形成するシート２６ａに固着されていない。第２弾性部材４１は、パッド２３の両側縁２３ｂまで延びていてもよく、パッド２３の前胴周り域２７に位置する端縁２３ａ近傍に延びていてもよい。
【００３３】
側部シート４２は、パッド２３の両側縁２３ｂ近傍に固着されて縦方向へ延びる固定側部４２ａと、固定側部４２ａと並行して縦方向へ延びる自由縁部４２ｂと、パッド２３の横方向内方へ倒伏した状態でパッド２３の両端縁２３ａ近傍に固着された固定両端部４２ｃとを有する。固定側部４２ａと固定両端部４２ｃとは、表面シート３７の外面に固着されている。自由縁部４２ｂには、縦方向へ延びる伸縮性弾性部材４４が伸長状態で取り付けられている。弾性部材４４は、自由縁部４２ｂの一部に被覆されている。
【００３４】
おむつ２１では、縦方向へ収縮した第１弾性部材４０と胴周り方向へ収縮した第２弾性部材４１とによってパッド２３の領域４３が肌非当接側へ向かって凸型に変形している。おむつ２１の前胴周り域２７と股下域２８とでは、パッド２３の領域４３が着用者ＭのペニスＰを収容するペニス収容部４５を画成している。
【００３５】
図５の状態からパンツ型に成形するには、表面シート３７の外面が互いに対向するように、パンツ２２とパッド２３とを横中心線Ｌ２で折曲し、シート２６ａ，２６ｂの胴周り側部３１の側縁３３近傍を固着して前後胴周り域２７，２９を連結する。
【００３６】
このおむつ２１では、それを着用したときに、着用者ＭのペニスＰが収容部４５に収容されるので、ペニスＰがパッド２３の両側縁２３ｂからはみだしてしまうことを防止することができる。おむつ２１では、尿が前胴周り域２７と股下域２８とにおける胴周り方向中央部に排泄されるので、尿が脚周り開口縁部３２から漏れてしまうことを防ぐことができる。
【００３７】
おむつ２１では、第１弾性部材４０の他に、パッド２３に第２弾性部材４１が取り付けられているので、第１弾性部材４０と第２弾性部材４１との収縮力を利用することができ、パッド２３の領域４３を肌非当接側へ向かって凸型に変形させることが容易である。おむつ２１では、第１および第２弾性部材４０，４１がパンツ２２を形成するシート２６ａに固着されていないので、それら弾性部材４０，４１によってパンツ２２に縮緬状の多数のギャザーが形成されることはない。
【００３８】
おむつ２１では、縦方向へ収縮した弾性部材４４によってパッド２３に取り付けられた側部シート４２の自由縁部４２ｂが表面シート３７の上方へ起立する。おむつ２１では、側部シート４２の自由縁部４２ｂが排泄物に対する障壁を形成し、パッド２３の両側縁２３ｂからの排泄物の漏れを防ぐことができる。
【００３９】
表面シート２，３７には、親水処理を施した繊維不織布、または、微細な多数の開孔を有する熱可塑性プラスチックフィルムや疎水性繊維不織布を使用することができる。透液性シート１５には、ティッシュペーパーや親水処理を施した繊維不織布を使用することができる。裏面シート３，３８や不透液性シート２６ａ，２６ｂには、疎水性繊維不織布、通気不透液性の熱可塑性プラスチックフィルム、疎水性繊維不織布を重ね合わせた複合不織布、疎水性繊維不織布と通気不透液性の熱可塑性プラスチックフィルムとを重ね合わせた複合シートのいずれかを使用することができる。
【００４０】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００４１】
コア４，３９は、フラッフパルプと高吸収性ポリマー粒子との混合物、または、フラッフパルプと高吸収性ポリマー粒子と熱可塑性合成樹脂繊維との混合物であり、所要の厚みに圧縮されている。ポリマー粒子としては、デンプン系、セルロース系、合成ポリマー系のものを使用することができる。
【００４２】
シート２，３，２６ａ，２６ｂ，３７，３８の固着、コア４，３９や弾性部材１６，１７，１８，３５，３６，４０，４１，４４の固着には、ホットメルト型接着剤、または、ヒートシールや超音波接合等の熱による溶着手段を使用することができる。
【００４３】
【発明の効果】
本発明に係る使い捨ておむつによれば、第１弾性部材の縦方向の収縮によって吸液性部材の第１弾性部材の間に延びる領域が肌非当接側へ向かって凸型に変形し、領域が着用者のペニスを収容することが可能なペニス収容部を画成する。このおむつでは、それを着用したときに、着用者のペニスが収容部に収容されるので、ペニスがおむつの内部において自由に動いてしまうことはなく、ペニスを前胴周り域と股下域とにおける胴周り方向中央部に静止させておくことができる。このおむつでは、ペニスが脚周り開口縁部ヘ向かって移動することを防ぐことができ、尿が脚周り開口縁部に集中して排泄されることはなく、尿が脚周り開口縁部から漏れてしまうことを防ぐことができる。
【００４４】
吸液性部材の領域に配置されて第１弾性部材の間を胴周り方向へ延びる第２弾性部材が取り付けられたおむつでは、第１弾性部材の縦方向の収縮と第２弾性部材の胴周り方向の収縮とによって吸液性部材の領域が肌非当接側へ向かって凸型に変形し、領域がペニス収容部を画成する。このおむつでは、ペニスが収容部に収容されるので、ペニスが脚周り開口縁部ヘ向かって移動することを防ぐことができ、脚周り開口縁部からの尿の漏れを防ぐことができる。このおむつでは、第１弾性部材と第２弾性部材との収縮力を利用することによってパッドの領域を肌非当接側へ向かって凸型に変形させることが容易である。
【図面の簡単な説明】
【図１】  使い捨ておむつの斜視図。
【図２】  パンツ型に成形する以前の状態で示す図１のおむつの斜視図。
【図３】  図１のＩ−Ｉ線断面図。
【図４】  図１のＩＩ−ＩＩ線矢視断面図。
【図５】  他の実施の形態を示す使い捨ておむつの斜視図。
【図６】  パンツ型に成形する以前の状態で示す図５のおむつの斜視図。
【図７】  図５のＩＩＩ−ＩＩＩ線端面図。
【図８】  図５のＩＶ−ＩＶ線矢視断面図。
【符号の説明】
１              使い捨ておむつ
２              透液性表面シート（シート部材）
３              不透液性裏面シート（シート部材）
４              吸液性コア（吸液性部材）
４ａ            両端縁
４ｂ            両側縁
５              前胴周り域
６              股下域
７              後胴周り域
８              胴周り開口
９              脚周り開口
１０              胴周り端部
１１              胴周り側部
１３              側縁
１８              第１伸縮性弾性部材
１９              領域
２１              使い捨ておむつ
２３              吸液性インナーパッド（吸液性部材）
２３ａ            両端縁
２３ｂ            両側縁
２４              胴周り開口
２５              脚周り開口
２６ａ，２６ｂ    シート（シート部材）
２７              前胴周り域
２８              股下域
２９              後胴周り域
３０              胴周り端部
３１              胴周り側部
３３              側縁
３７              透液性表面シート
３８              不透液性裏面シート
３９              吸液性コア
４０              第１伸縮性弾性部材
４１              第２伸縮性弾性部材
４３              領域
Ｌ１              縦中心線
【図１】
0003745984.tif 000002
【図２】
0003745984.tif 000003
【図３】
0003745984.tif 000004
【図４】
0003745984.tif 000005
【図５】
0003745984.tif 000006
【図６】
0003745984.tif 000007
【図７】
0003745984.tif 000008
【図８】
0003745984.tif 000009